(57)【要約】【課題】ＵＨＦ帯オールチャンネルに対応して、リターンロスの特性を容易に調整し得る信号処理装置を提供する。【解決手段】伝送線路１１，１２の左右コーナ部分、つまり出力ポート１１ａ，１２ａ及び入力ポート１１ｂの接続部１３，１４，１５，１６を、互いに反対方向に９０度折り曲げることで、平面上の交差部分の影響を無くすようにし、さらに、伝送線路１１，１２の左右コーナ部分に、ブロック１１０，１２０を近付けることで、リターンロスを調整できるようにした。【選択図】      図１
2010062906.tif 000002
【特許請求の範囲】
【請求項１】
一端にデジタル放送信号の入力ポートを接続しかつ他端に当該デジタル放送信号の出力ポートを接続する第１の伝送線路と、
前記デジタル放送信号の分配処理または合成処理を実行すべく前記第１の伝送線路に結合し、一端にデジタル放送信号の入力ポートまたは出力ポートを接続する第２の伝送線路とを具備し、
前記第１の伝送線路のポート接続部及び前記第２の伝送線路のポート接続部は、互いに反対方向に折り曲げ形成されることを特徴とする信号処理装置。
【請求項２】
前記第１の伝送線路のポート接続部及び前記第２の伝送線路のポート接続部は、線路の平行面に対して折り曲げ角度を９０°とすることを特徴とする請求項１記載の信号処理装置。
【請求項３】
前記第１及び第２の伝送線路が筐体内に収容されるとき、
前記筐体の前記第１の伝送線路のポート接続部及び前記第２の伝送線路のポート接続部と対向する箇所に設けられ、前記第１及び第２の伝送線路間の結合度を制御する制御機構部をさらに備えることを特徴とする請求項１記載の信号処理装置。
【請求項４】
前記制御機構部は、前記第１の伝送線路のポート接続部及び前記第２の伝送線路のポート接続部に近接する第１の状態と、前記第１の伝送線路のポート接続部及び前記第２の伝送線路のポート接続部から離間した第２の状態との間で移動自在であることを特徴とする請求項３記載の信号処理装置。
【請求項５】
前記制御機構部は、前記筐体の前記第１の伝送線路のポート接続部及び前記第２の伝送線路のポート接続部と対向する箇所にブロックを取り付けたことを特徴とする請求項３記載の信号処理装置。
【請求項６】
前記制御機構部は、前記第１の状態と前記第２の状態との間で移動自在にするべく前記筐体の前記第１の伝送線路のポート接続部及び前記第２の伝送線路のポート接続部と対向する箇所に厚みの異なるブロックを交換可能とすることを特徴とする請求項４記載の信号処理装置。
【発明の詳細な説明】
【技術分野】
【０００１】
この発明は、例えば地上デジタル放送等の放送信号を送信する送信局に用いられる信号処理装置に関する。
【背景技術】
【０００２】
デジタル送信機用合成器またはデジタル送信機用分配器のような信号処理装置においては、ＵＨＦ(Ultra High Frequency)帯域オールチャンネル(470MHz〜890MHz)に対応し、さらに高い耐電力性も要求されている。また、小型化、低コストのために、アイソレータを用いないことが多い。そこで、以前からアイソレータを兼用する３ｄＢカップラを用いる手法が提案されている。
【０００３】
しかしながら、３ｄＢカップラを構成する際、リターンロスとアイソレーションを調整することが困難である。また、近年の広帯域化に対応するために、帯域(あるいは中心周波数)を調整できる機構が強く望まれている。
【０００４】
なお、この種に関連する従来技術として、特許文献１に、２枚の導板を一定間隔を開けて固定し、各導板にインピーダンス整合用の付加容量形成電極を設けたハイブリッド回路が示されている。但し、この特許文献１に記載のものは、インピーダンスの整合手段が複雑となることを問題としており、デジタル放送帯域の調整に関するものではない。
【特許文献１】特開平８−２６５０１１号公報。
【発明の開示】
【発明が解決しようとする課題】
【０００５】
以上のように、３ｄＢカップラを用いる手法では、リターンロスとアイソレーションを調整することが困難である。また、ＵＨＦ帯オールチャンネルに対応すべく帯域(あるいは中心周波数)を調整できる機構を実現する手段が未だに開発されていない。
【０００６】
そこで、この発明の目的は、ＵＨＦ帯オールチャンネルに対応して、リターンロスの特性を容易に調整し得る信号処理装置を提供することにある。
【課題を解決するための手段】
【０００７】
上記目的を達成するために、この発明に係る信号処理装置は、一端にデジタル放送信号の入力ポートを接続しかつ他端に当該デジタル放送信号の出力ポートを接続する第１の伝送線路と、デジタル放送信号の分配処理または合成処理を実行すべく第１の伝送線路に結合し、一端にデジタル放送信号の入力ポートまたは出力ポートを接続する第２の伝送線路とを具備し、第１の伝送線路のポート接続部及び第２の伝送線路のポート接続部は、互いに反対方向に折り曲げ形成されるものである。
【０００８】
この構成によれば、第１及び第２の伝送線路のポート接続部を、互いに反対方向に折り曲げることで、平面上の交差部分の影響を無くすようにし、これにより、ＵＨＦ帯オールチャンネルに対応して、リターンロスの特性を容易に調整でき、しかもポート間アイソレーション特性がよいので、方向性結合器を用いる必要がない。そのため、小型化やコスト削減にも寄与できる。
【０００９】
第１及び第２の伝送線路が筐体内に収容されるとき、筐体の第１の伝送線路のポート接続部及び第２の伝送線路のポート接続部と対向する箇所に設けられ、第１及び第２の伝送線路間の結合度を制御する制御機構部をさらに備える。
【００１０】
なお、制御機構部は、第１の伝送線路のポート接続部及び第２の伝送線路のポート接続部に近接する第１の状態と、第１の伝送線路のポート接続部及び第２の伝送線路のポート接続部から離間した第２の状態との間で移動自在である。
【００１１】
この構成によれば、第１の状態と第２の状態との間で移動自在な制御機構部を筐体に設けることで、ＵＨＦ帯オールチャンネルに対応して、リターンロスの特性を調整できるとともに、制御機構部を第１の状態と第２の状態との間で移動させることで、リターンロスの特性の微調整も可能となる。
【００１２】
制御機構部は、筐体の第１の伝送線路のポート接続部及び第２の伝送線路のポート接続部と対向する箇所にブロックを取り付けるようにしたものである。このブロックは、厚みの異なるブロックを交換可能とする。
【００１３】
この構成によれば、厚みの異なるブロックを交換するだけで、筐体内の第１及び第２の伝送線路に何ら手を加える必要がなく、ＵＨＦ帯オールチャンネルに対応して、リターンロスの特性を容易に調整できる。
【発明の効果】
【００１４】
以上詳述したようにこの発明によれば、ＵＨＦ帯オールチャンネルに対応して、リターンロスの特性を容易に調整し得る信号処理装置を提供することができる。
【発明を実施するための最良の形態】
【００１５】
以下、この発明の実施形態について図面を参照して詳細に説明する。  
図１は、この発明の一実施形態における分配器の要部の斜視図であり、分配器の調整機構の構成を分かり易く示している。図２は、伝送線路の端部の詳細を示した斜視図である。
【００１６】
図１において、箱状の筐体１００内で、地上デジタル放送信号の分配処理を実行すべく伝送線路１１，１２は、その中央結合部分が上下平行に配置し、そして全体形状に着目すると、交差している状態である。なお、筐体１００の周りは遮蔽されている。
【００１７】
まず、伝送線路１１，１２について説明する。  
伝送線路１１，１２は、単体ではＳ字形である。また、伝送線路１１，１２は、上面から見た場合に、Ｘ字形であるように互いに逆向きで交差している。分配器として動作する場合は、伝送線路１１の一端には、ＵＨＦ帯の地上デジタル放送信号が入力される入力ポート１１ｂが設けられており、他端にはデジタル放送信号が出力される出力ポート１１ａが設けられる。
【００１８】
また、伝送線路１２の一端には、デジタル放送信号が出力される出力ポート１２ａが設けられる。なお、伝送線路１２の他端は、終端される。
【００１９】
次に、伝送線路１１，１２の一端部の構造について説明する。ここでは、入力ポート１１ｂの接続部及び出力ポート１２ａの接続部を代表して説明する。  
伝送線路１１，１２は、入力ポート１１ｂの接続部１３及び出力ポート１２ａの接続部１４が互いに反対方向で、中央部平行線路に対して９０度に折り曲げられる。この接続部１３は、上方から見た場合、Ｌ字形であり、水平な一片は入力ポート１１ｂに接続されるとともに筐体１００の壁部１０１に対向する。また、接続部１３には、基部１３ａに対し垂直に起立した垂直片が形成されており、これにより水平片が壁部１０１に対し所定間隔をおいて対向することになる。さらに、基部１３ａには、リターンロスを良くするために、カット部１３ｂが形成されている。
【００２０】
一方、接続部１４も、上記接続部１３と同様に、上方から見た場合、Ｌ字形であり、水平な一片は出力ポート１２ａに接続されるとともに筐体１００の壁部１０２に対向する。また、接続部１４には、基部１４ａに対し垂直に起立した垂直片が形成されており、これにより水平片が壁部１０２に対し所定間隔をおいて対向することになる。
【００２１】
次に、上記折り曲げ構造により得られるリターンロスについて説明する。  
以前は、耐電力用分配器は、図３に示すように、筐体２００内に設けられる伝送線路３１，３２にストリップ線路を用いている。これら伝送線路３１，３２は、同一平面上に結合線路と５０Ω伝送路で構築される。しかし、結合先端部の交差する部分によりインピーダンスが乱れて、図４に示すように、リターンロス及びアイソレーション特性が劣化してしまうことになる。
【００２２】
そこで、本実施形態では、伝送線路１１，１２の交差する左右コーナ部分を互いに反対方向で９０度折り曲げるとともに、ブロック１１０，１２０を左右コーナ部分に近付けることで、結合度とリターンロスを調整できるようにした。
【００２３】
図５は、ブロック１１０，１２０により伝送線路１１，１２の結合度が調整される前の状態と、ブロック１１０，１２０が伝送線路１１，１２間のコーナ部分に近接された状態とを側面から見た断面図を示している。ここでは、ブロック１１０と伝送線路１１，１２の接続部１５，１６とを代表して説明する。
【００２４】
ブロック１１０には、筐体１００の外側から調整ハンドル３００が取り付けられる。この調整ハンドル３００は、筐体１００の側壁を貫通してブロック１１０に取り付けられ、保守員の手操作により例えば時計回りに回動されることで、ブロック１１０を伝送線路１１，１２間のコーナ方向へ水平移動させる。
【００２５】
図５（ａ）に示す状態では、ブロック１１０は、伝送線路１１，１２の垂直方向に折り曲げられた接続部１５，１６より離れている状態にある。ブロック１１０は、調整ハンドル３００が時計回りに回動されると、図５（ｂ）に示すように、接続部１５，１６間に近づいていくことになる。この場合、リターンロスは、図６に示すように、−２０ｄＢ以下と大きく改善されることになる。
【００２６】
なお、ブロック１１０を接続部１５，１６間から遠ざける場合には、調整ハンドル３００を反時計回りに回動させればよい。
【００２７】
以上のように上記実施形態では、伝送線路１１，１２の左右コーナ部分、つまり出力ポート１１ａ，１２ａ及び入力ポート１１ｂの接続部１３，１４，１５，１６を、互いに反対方向に９０度折り曲げることで、平面上の交差部分の影響を無くすようにし、さらに、伝送線路１１，１２の左右コーナ部分に、ブロック１１０，１２０を近付けることで、リターンロスを調整できるようにしている。
【００２８】
従って、伝送線路１１，１２の左右コーナ部分を互いに反対方向となるように折り曲げ、この左右コーナ部分にブロック１１０，１２０を近付けるだけで、リターンロスの特性を容易に調整できる。
【００２９】
さらに、上記実施形態では、筐体１００の外側から筐体１００内にあるブロック１１０，１２０を、伝送線路１１，１２の左右コーナ部分に近付けるための調整ハンドル３００を設けているので、筐体１００内のブロック１１０，１２０、伝送線路１１，１２に何ら手を加える必要がなく、ＵＨＦ帯オールチャンネルに対応して、リターンロスの特性を容易に調整できる。
【００３０】
なお、上記実施形態では、調整ハンドル３００により筐体１００の外側から筐体１００内にあるブロック１１０，１２０を、伝送線路１１，１２の左右コーナ部分に近付ける例について説明したが、図７（ａ）に示すように、筐体１００に設けられるブロック１１０を、図７（ｂ）に示すような当該ブロック１１０より厚みのあるブロック４１０に交換することで、リターンロスを調整するようにしてもよい。
【００３１】
さらに、上記実施形態では、分配器を例に説明したが、合成器であってもよい。
【００３２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３３】
【図１】この発明の一実施形態における分配器の要部の斜視図。
【図２】伝送線路の端部の詳細を示した斜視図。
【図３】以前に用いられていた耐電力用分配器の要部の斜視図。
【図４】以前の帯域幅及びリターンロスを説明するために示す特性図。
【図５】同実施形態の動作例を説明するために示す図。
【図６】同実施形態において、調整後の帯域幅及びリターンロスを説明するために示す特性図。
【図７】この発明の他の実施形態の動作例を説明するために示す図。
【符号の説明】
【００３４】
１１，１２…伝送線路、１１ａ，１２ａ…出力ポート、１１ｂ…入力ポート、１３，１４，１５，１６…接続部、１３ａ、１４ａ…基部、１３ｂ…カット部、１００，２００…筐体、１０１，１０２，１０３，１０４…壁部、１１０，１２０，４１０…ブロック、３００…調整ハンドル。
【図１】
2010062906.tif 000003
【図２】
2010062906.tif 000004
【図３】
2010062906.tif 000005
【図４】
2010062906.tif 000006
【図５】
2010062906.tif 000007
【図６】
2010062906.tif 000008
【図７】
2010062906.tif 000009